(57)【要約】【課題】配線の複雑化を抑え、設計をシンプルとし、製造コストも抑えることのできる放熱システムを提供する。【解決手段】本発明の放熱システムは、少なくとも２個のファンにより構成され且つ前記ファンが皆制御装置及びセンサーを有しているファンモジュール、前記ファンの制御装置に電気的に接続されるクライアントデバイスを備え、前記クライアントデバイスが第１制御要求を出力した時、前記ファンモジュールの複数のファンは同期に作動し、前記クライアントが第２制御要求を出力した時、前記ファンモジュールの複数のファンは非同期に作動する。このことにより、放熱システムは、異なる環境下において前記複数のファンを同期又は非同期に作動させるかを選択できる効果を提供することができ、よって放熱システムの使用範囲を広げることができる。【選択図】図２
2007103916.tif 000002
【特許請求の範囲】
【請求項１】
少なくとも２つのファンから構成される放熱システムであって、前記ファンはそれぞれ制御装置とセンサーとを有し、且つそれぞれの前記ファンの前記制御装置が互いに電気的に接続され、前記センサーがそれぞれの前記ファンの置かれている環境のパラメータを検知して複数の制御信号を発することにより、それ自身又はその他の前記ファンの回転速度をそれぞれ制御することができるよう構成された放熱システム。
【請求項２】
前記制御装置はシングルチップコントローラであることを特徴とする請求項１記載の放熱システム。
【請求項３】
前記センサーは、温度センサー、電流センサー或いはサーミスターから選択されたものであることを特徴とする請求項１記載の放熱システム。
【請求項４】
前記ファンは、電源ラインによりクライアントデバイスに接続され、電源を取得するものであることを特徴とする請求項１記載の放熱システム。
【請求項５】
前記ファンが転送装置により前記クライアントデバイスと接続されることで、前記クライアントデバイスに前記ファンの状態を監視させるよう構成されたことを特徴とする請求項４記載の放熱システム。
【請求項６】
前記クライアントデバイスが第一制御要求を出力した時、１つのファンのセンサーは、前記ファンの置かれている環境のパラメーターを検知して制御信号を発し、単一又は一部或いは全ての前記ファンの回転速度を調整し、前記クライアントデバイスが第二制御要求を出力した時、前記センサーは自身のファンの置かれている環境のパラメータを検知して制御信号を発し、単独或いは交互に前記複数のファンの回転速度をそれぞれ制御する請求項５記載の放熱システム。
【請求項７】
前記第１制御要求及び前記第２制御要求は高電位信号或いは低電位信号であることを特徴とする請求項６に記載の放熱システム。
【請求項８】
前記転送装置はバスであることを特徴とする請求項５記載の放熱システム。
【請求項９】
前記複数の制御信号はパルス幅変調信号（ＰＷＭ）であることを特徴とする請求項１記載の放熱システム。
【請求項１０】
少なくとも２つのファンモジュールを備え、且つそれぞれのファンモジュールは少なくとも２つのファンで構成されており、前記クライアントデバイスと前記ファンモジュールの間にスイッチが設置されており、前記クライアントデバイスは前記スイッチによって前記ファンモジュールとの接続の切り替えを行うよう構成されたことを特徴とする請求項１記載の放熱システム。
【請求項１１】
前記ファンモジュールは同期作動するファンモジュールと非同期作動するファンモジュールとの組み合わせにより実施されるものであることを特徴とする請求項１０記載の放熱システム。
【請求項１２】
少なくとも２つのファンによって構成され、且つ前記ファンがそれぞれ制御装置及びセンサーを備えているファンモジュールと、前記ファンの前記制御装置に電気的に接続されるクライアントデバイスとを備え、前記クライアントデバイスが第一制御要求を出力した時、前記ファンモジュールの前記ファンは同期作動し、前記クライアントデバイスが第２制御要求を出力した時、前記ファンモジュールの前記ファンは非同期作動する放熱システム。
【発明の詳細な説明】
【技術分野】
【０００１】
本発明は放熱システムに関するもので、特に同期作動モード及び非同時作動モードを有する放熱システムに関する。
【背景技術】
【０００２】
大中型電子装置の放熱問題を解決するために、ほとんどの使用者は電子装置の体積の大小に合わせて一組或いは数組の放熱システムを設けている（例えば特許文献１）。図１を参照してみると、現在公知の放熱システム１００は複数のファン１０及び１個の制御装置１により構成されており、前記制御装置１の一端はクライアントデバイス２に電気的に接続されており、別の一端は複数のファン１０にそれぞれ電気的に接続されている。前記クライアントデバイス２は制御装置１を通じて複数のファン１０へ電源を供給し、且つ制御装置１は予め設定されている回転制御信号を前記複数のファン１０に送信することによって運転の駆動及び回転速度の調整を行い、そのことにより電子装置内部の作動温度を維持し、さらに温度上昇による各素子の異常や故障を防ぐことができる。さらに、前記放熱システム１００中にセンサーを増設することも可能であり（図には示しておらず、例えば温度センサー、電流センサーやその他電子装置の異常を検出する機能を有するセンサー）、それをどれか１つのファン１０上あるいは制御装置１上に設置することができる。当該センサーがファン１０のうちの１つに設置された場合、前記ファン１０はフィードバック信号を前記制御装置１にフィードバックでき、且つ制御装置１は単一、数個或いは全てのファン１０の回転速度を調整することができる。前記センサーを制御装置１に直接設置した場合、制御装置１もセンサーが生じたフィードバック信号により、単一、数個或いは全てのファン１０の回転速度を調節することができる。
【０００３】
実際の応用では、前記複数のファン１０と前記制御装置１との間の配線問題について考慮しなければならず、つまりファン１０の数量が多ければ多いほど、相対的に配線も其の分複雑になっていき、且つ制御装置１を増設することにより制御をサポートする必要がある。更に進めて言えば、若し電子装置の体積上の制限を考慮にいれているならば、制御装置１を増設するにしても或いは配線が複雑になるにしても、全てにおいて設計上と使用上の不都合が生じるため、公知の放熱システム１００は明らかに改良の必要がある。
【特許文献１】特開２００４−２５２５３１号公報
【発明の開示】
【発明が解決しようとする課題】
【０００４】
上記課題に鑑みて、本発明の目的は、内部に複数のファンが設置され、どのファンにも皆単独に制御装置とセンサーが設けられている放熱システムを提供し、これによって配線の複雑化を抑え、且つ設計をシンプルとし、さらに製造コストも抑えることにある。
【課題を解決するための手段】
【０００５】
以上の目的を達成するために、前記放熱システムは、少なくとも２個のファンによって構成され、且つ前記どのファンにも制御装置及びセンサーが設けられているファンモジュール、前記ファンの制御装置に電気的に接続されるクライアントデバイスを備え、前記クライアントデバイスが第一制御要求を出力した時、前記ファンモジュールの複数のファンは同期作動し、前記クライアントデバイスが第２制御要求を出力した時、前記ファンモジュールの複数のファンは非同期作動をする。前記において示された構成により、本発明の放熱システムは、異なる環境下でファンを同期作動或いは非同期作動させるように選択できる機能を提供できるため、其の応用範囲が広がる。
【発明の効果】
【０００６】
配線の複雑化を抑え、設計をシンプルとし、製造コストも抑えることのできる放熱システムを提供することができる。
【発明を実施するための最良の形態】
【０００７】
図２に示されているように、本発明の放熱システム２００は主にファンモジュール３及びクライアントデバイス２により構成される。
【０００８】
前記ファンモジュール３は少なくとも２個のファン２０によって構成され（図中に示されているファンモジュール３は３つのファン２０によって構成されている）、前記ファン２０は皆制御装置２１及びセンサー２２を有しており、且つファン２０の制御装置２１は互いに電気的に接続されている。本実施例中では、前記ファン２０は更に１つの転送装置２３及び電源ライン２４によりクライアントデバイス２へ電気的に接続されているため、クライアントデバイス２から制御信号と電源を受け取ることができ、且つファン２０の状態をクライアントデバイス２にフィードバックして監視させることができる。
【０００９】
前記制御装置２１はシングルチップコントローラ或いはその他の信号処理の能力を有する装置として実施することができる。
【００１０】
前記センサー２２は温度センサー、電流センサーやその他電子装置の異常を検出する機能を有するセンサーとして実施することができる。それぞれのファン２０の制御装置２１は、前記センサー２２によりそれぞれのファン２０の置かれている環境のパラメータを検知し、制御信号を生じることでそれ自身或いはその他ファン２０を制御する。ここで説明しておきたいのが、若し前記センサー２２が温度センサーとして実施された場合は、検知された温度を直接フィードバック信号に変換して前記制御装置２１へ入力することができ、且つ制御装置２１は受け取ったフィードバック信号を基にそれ自身或いは周囲の各ファン２０の回転速度を制御し調節することができる。もしセンサー２２が電流センサーとして実施された場合、前記複数のファン２０の間の電子回路に電流の異常がないか検出することができ、例えばそのうちの１つのファン２０に電流の異常が生じたり、さらに破損したりした際、その電流センサーはすぐに警告信号を発し、他のファン２０に回転速度を速めるよう通知することにより、一部の温度の異常な上昇を防ぐことができる。上記温度センサー及び前記電流センサー以外にも、電子装置の異常を検出できる機能を持ったセンサーであれば使用が可能であるが、その実施形態は未だ多すぎるため、その他の例の説明については省略する。
【００１１】
前記転送装置２３はバスとして実施することができ、前記制御装置２１は転送装置２３と互いに制御信号を転送することができる。
【００１２】
ここで他に説明すべき点は、前記制御信号はパルス幅変調信号（PWM）とすることができ、その負荷サイクル（Duty cycle）の変化により、ファンの回転速度を変えられる。さらに、上記フィードバック信号は電圧信号とすることができ、特に温度センサーをサーミスターとして実施した場合、温度変化によりサーミスターに分割された電圧（分圧）を変化させてから、制御装置２１により１つの新しいパルス幅変調信号に変換することにより、それ自身或いはその他のファン２０の回転速度を改善できる。
【００１３】
前記クライアントデバイス２はファン２０の制御装置２１に電気的に接続され、且つ前記クライアントデバイス２が第１制御要求を出力した時に、前記ファンモジュール３の複数のファン２０は同期作動し、又、前記クライアントデバイス２が第２制御要求を出力した時は、前記ファンモジュール３の複数のファン２０は非同期作動する。
【００１４】
上記クライアントデバイス２が第一制御要求をファンモジュール３の複数のファン２０に出力した時、其のうちの１つのファン２０のセンサー２２は前記ファン２０の置かれている環境のパラメータを検知することにより制御信号を生じ、ファン２０の回転速度が同時制御される。前記クライアントデバイス２が第２制御要求を前記ファンモジュール３の複数のファン２０に出力した時、前記複数のファン２０のそれぞれのセンサー２２は各ファン２０の置かれている環境のパラメータを検知して制御信号を発し、単独或いは交互にファン２０の回転速度を制御して、前記複数のファン２０を非同期に作動させる。
【００１５】
ここで注意したいのが、前記クライアントデバイス２に出力された前記第１制御要求と第２制御要求は、対等関係の信号でもよく、例えば高電位信号と低電位信号の組み合わせ等である。
【００１６】
図３に示されているのは、本発明の別の実施例であり、その放熱システム３００はクライアントデバイス２及び２つのファンモジュール３を備えている。前記クライアントデバイス２及び前記２つファンモジュール３の構成及び技術手段は前記された内容と同様である故、ここでの解説は省略する。
【００１７】
ただし本実施例中では、前記クライアントデバイス２と前記２つのファンモジュール３との間にはさらにスイッチ４が設けられており、前記クライアントデバイス２はスイッチ４の切り替えを行い、２つのファンモジュールのどちらか１つを導通させる。ここで１つ挙げておきたいのは、前記２つのファンモジュール３のうちの１つは同期作動モードのファンモジュール３に設計することができ、もう１つは非同期作動モードのファンモジュール３に設計することができる。以上のことにより、前記クライアントデバイス２は環境状況のニーズに合わせて、２つのファンモジュール３を切り替え、そのうちの１つを導通させることが可能であり、よってファンモジュール３に対して回転速度を制御することができ、且つ節電モード或いは全速モードの制御を行うことも可能である。
【００１８】
本発明を好ましい実施形態によって以上のように開示したが、これは本発明を限定しようとするものではなく、当業者によれば、本発明の技術的思想と範囲を逸脱しない限りにおいて変更および改良を施すことができる。よって、本発明の保護範囲は、添付の特許請求の範囲で定義されたものが基準とされる。
【図面の簡単な説明】
【００１９】
【図１】公知の放熱システムの構成説明図である。
【図２】本発明の放熱システムの構成説明図である。
【図３】本発明の放熱システムの別の実施例の構成説明図である。
【符号の説明】
【００２０】
１００  放熱システム
２００  放熱システム
３００  放熱システム
１  制御装置
２  クライアントデバイス
３  ファンモジュール
４  スイッチ
１０  ファン
２０  ファン
２１  制御装置
２２  センサー
２３  転送装置
２４  電源供給ライン
【図１】
2007103916.tif 000003
【図２】
2007103916.tif 000004
【図３】
2007103916.tif 000005